(57)【要約】      （修正有）【課題】廊下や比較的硬い床面をスリッパで歩行のときに発生するパタパタ音を和らげる為の植毛付きテープを提供する。【解決手段】スリッパ１のかかと部へ植毛付きテープ３を貼り付けた。植毛付きテープの構造はクッション性があり歩行時発していたパタパタ音を吸収し和らげる。さらに、植毛付きテープの接着面はシールテープで保護されており、スリッパのかかと部に貼り付ける際、シールテープの一端を残したり、植毛付きテープ端の接着剤塗布面の一端にフイルム状のビニールやゴムなど別な物を挟むことによって植毛付きテープの交換時、スリッパの裏面から剥がし易くしたことを特徴とする。【選択図】図１
0003184368.tif 000002
【実用新案登録請求の範囲】
【請求項１】
スリッパのかかと部に、接着剤で貼り付ける植毛付きテ−プ。
【請求項２】
前記植毛付きテ−プの接着面はシ−ルテ−プで保護されておりスリッパのかかと部に貼り付ける際シ−ルテ−プの一部を残し植毛付きテ−プの交換時、スリッパの裏面から剥がし易くた植毛付きテ−プ。
【請求項３】
前記植毛付きテ−プ端の接着剤塗布面の一部にフイルム状のビニ−ルやゴムなど別な物を挟み、植毛付きテ−プ交換時、スリッパの裏面から剥がし易くした植毛付きテ−プ。
【考案の詳細な説明】
【技術分野】
【０００１】  本考案は、廊下や部屋の比較的硬い床面をスリッパで歩行するとき、スリッパのかかと部と床面が接触する際に発するパタパタ音を吸収し和らげる事に関するものである。
【背景技術】
【０００２】  スリッパを履いた人が普通に歩行するとき、かかと部から先に床面に接触する。その際、かかと部が床面に高速度で接触する現象が起きパタパタ音が発生する。パタパタ音を出さないためには、かかと部が床面に接触する速度や方向をかえたり、或いはしのび足など不自然な歩き方をしなければならない。
【先行技術文献】
【特許文献】
【０００３】
【特許文献１】登録実用新案第３１１６４８７号公報
【特許文献２】登録実用新案第３１１２９９６号公報
【特許文献３】登録実用新案第３０３６７７７号公報
【特許文献４】実用新案登録第３００６１４４号公報
【特許文献５】実用新案登録第３１７１７６３号公報
【考案の開示】
【考案が解決しようとする課題】
【０００４】  病院や学校の廊下、或いは室内の比較的硬い床面を普通のスリッパで歩行するとき、スリッパ底面が床面と接触した際、特にかかと部からパタパタ音が発生する。
入院患者や教室、或いは室内では気になる一種の騒音であり、大変迷惑である。
【課題を解決する為の手段】
【０００５】  この考案は、歩行のとき最初に床面と接触するスリッパ１のかかと部１０へ接着剤で貼り付ける植毛付きテ−プ３である。
【０００６】  植毛付きテ−プ３はスリッパ１のかかと部１０の一端に長さ約１ｃｍ程度シ−ルテ−プ７を残したまま、又はシ−ルテ−プ７の代わりにフイルム状のプラスチックやゴムなど別な物を挟みスリッパ１のかかと部１０へ貼り付ける。植毛付きテ−プ３の一端がスリッパの底に接着しない方法を取り入れる事により、植毛付きテ−プ３を交換する時、剥がし易い手段を講じた植毛付きテ−プ３である。
【考案の効果】
【０００７】  本考案はスリッパ１のかかと部１０へ貼り付けることにより、歩行時最初に植毛４の先端と床面が接触する為、衝撃が吸収されパタパタ音を和らげる目的は十分に果たす事ができた。
植毛付きテ−プはどのような形状のスリッパにも適用できる。植毛付きテ−プは汚れや、損耗時容易に剥がし交換する事ができる。
【図面の簡単な説明】
【０００８】
【図１】図１は考案の一実施例に係る、植毛付きテ−プをスリッパ裏面のかかと部に貼り付けた斜視図である。
【図２】図２は考案の一実施例に係る、植毛付きテ−プを貼り付けたスリッパの平面図である。
【図３】図３は考案の一実施例に係る、植毛付きテ−プを貼り付けたスリッパの側面図である。
【図４】図４は考案の一実施例に係る、接着面にシ−ルテ−プを施した貼り付け前の植毛付きテ−プの斜視図である。
【図５】図５は考案の一実施例に係る、接着面のシ−ルテ−プの一部を残し他を剥がした貼り付け準備が完了した植毛付きテ−プの斜視図である。、
【図６】図６は考案の一実施例に係る、植毛付きテ−プを貼り付けていない状態のスリッパを表した平面図である。
【図７】図７は考案の一実施例に係る、スリッパの部位を表した側面図である。
【考案を実施する為の形態】
【０００９】  以下、図１〜図７を参照し、この考案の植毛付きテ−プの一実施例で説明する。
【実施例】
【００１０】  図１〜３に於いて１はスリッパである。このスリッパは甲受け２を有している。図７のスリッパは、つま先部９かかと部と１０があり、かかと部１０は底面が平らである。【００１１】  図４，図５の植毛テ−プ３は（例えば植毛部４はブラシ状でクッション性能を有するポリエステル製）帯状で植毛の丈は１ｃｍ、幅１ｃｍ、長さ６ｃｍ〜８ｃｍで１枚又は複数枚（例えば３枚）貼り付けているが植毛テ−プの形状は半月状でもよく床面と接触する面積が大きいほど好ましい。植毛テ−プ３の上面は接着剤が塗布されその表面にはシ−ルテ−プ５が貼られている。シ−ルテ−プ５を剥がしスリッパのかかと部９に貼り付ける前に、シ−ルテ−プ５の端を１ｃｍ程度残した位置に切れ目６入れ、残りのシ−ルテ−プをシ−ルテ−プ７とする。シ−ルテ−プ５を剥がし接着剤塗布面８を露出させスリッパのかかと部１０へ貼り付ける。但しシ−ルテ−プ７は剥がさずに残す。又シ−ルテ−プ５．７を全て剥がしシ−ルテ−プ７に代わりフイルム状のビニ−ルやゴム等別な物を挟んでもよい。【００１２】  この残したシ−ルテ−プ７（シ−ルテ−プ７の代わりにフイルム状のビニ−ルやゴム等別な物を挟む）は、植毛テ−プ３を汚れや損耗時に交換する場合スリッパの底から剥がしやすくするため設けている。
【符号の説明】
【００１３】１    スリッパ
２    スリッパ足甲受け
３    植毛付きテ−プ
４    植毛部
５    シ−ルテ−プ
６    シ−ルテ−プ切れ目
７    残したシ−ルテ−プ
８    接着剤布面
９    つま先部
１０  かかと部
【図１】
0003184368.tif 000003
【図２】
0003184368.tif 000004
【図３】
0003184368.tif 000005
【図４】
0003184368.tif 000006
【図５】
0003184368.tif 000007
【図６】
0003184368.tif 000008
【図７】
0003184368.tif 000009
【手続補正書】
【提出日】平成25年3月29日(2013.3.29)
【手続補正１】
【補正対象書類名】実用新案登録請求の範囲
【補正対象項目名】全文
【補正方法】変更
【補正の内容】
【実用新案登録請求の範囲】
【請求項１】
スリッパのかかと部に、接着剤で貼り付ける植毛付きテ−プ。
【請求項２】
前記植毛付きテ−プの接着面はシ−ルテ−プで保護されており、スリッパのかかと部に貼り付ける際、シ−ルテ−プの一端を残して植毛付きテ−プの交換時、スリッパの裏面から剥がし易くしたことを特徴とする請求項１に記載の植毛付きテ−プ。
【請求項３】
前記植毛付きテ−プ端の接着剤塗布面の一端にフイルム状のビニ−ルやゴムなど別な物を挟み植毛付きテ−プの交換時、スリッパの裏面から剥がし易くしたことを特徴とする請求項１又は請求項２に記載の植毛付きテ−プ。